(57)【要約】【課題】滝壷周辺と同程度のイオン数を得ることが可能な空気イオン生成方法及び生成器並びにセットを提供する。【解決手段】（１）水を霧化してイオン化霧を空気中に供給する空気イオン生成方法において、前記霧を衝突壁に衝突させイオン化霧の流れを生じさせるに際し、前記衝突壁の少なくとも表面又はイオン化霧流路に永久電気双極子結晶鉱物を存在させ、イオン数を増加させる空気イオン生成方法、（２）水を霧化してイオン化霧を空気中に供給する空気イオン生成器において、水盤容器内の水を霧化器を用いることにより霧化して空気中に供給し、該空気中に供給された霧を衝突壁に衝突させイオン化霧の流れを生じさせると共に、前記衝突壁の少なくとも表面又はイオン化霧流路に永久電気双極子結晶鉱物を存在させ、イオン数を増加させる構成を有する空気イオン生成器である。【選択図】  図１
2004154461.tif 000002
【特許請求の範囲】
【請求項１】
水を霧化してイオン化霧を空気中に供給する空気イオン生成方法において、前記霧を衝突壁に衝突させイオン化霧の流れを生じさせるに際し、前記衝突壁の少なくとも表面又はイオン化霧流路に永久電気双極子結晶鉱物を存在させ、イオン数を増加させることを特徴とする空気イオン生成方法。
【請求項２】
水を霧化してイオン化霧を空気中に供給する空気イオン生成器において、水盤容器内の水を霧化器を用いることにより霧化して空気中に供給し、該空気中に供給された霧を衝突壁に衝突させイオン化霧の流れを生じさせると共に、前記衝突壁の少なくとも表面又はイオン化霧流路に永久電気双極子結晶鉱物を存在させ、イオン数を増加させる構成を有することを特徴とする空気イオン生成器。
【請求項３】
衝突壁が、霧化器の上方又は側方に配置されていることを特徴とする請求項２に記載の空気イオン生成器。
【請求項４】
衝突壁に衝突した霧の一部が水盤容器内の水に滴下還流する構成であることを特徴とする請求項２又は３に記載の空気イオン生成器。
【請求項５】
霧化器と、この霧化器によって生じた霧を衝突させてイオン化霧を生じさせる衝突壁と、この衝突壁の少なくとも表面又はイオン化霧流路に存在させる永久電気双極子結晶鉱物とを有する空気イオン生成器セット。
【発明の詳細な説明】
【０００１】
【発明の属する技術分野】
本発明は空気イオン生成方法及び生成器並びにセットに関し、詳しくはイオン化霧による効率的な空気イオンの生成、及び生物が持つ機能を刺激する所謂ホルミシス（ｈｏｒｍｅｓｉｓ）効果が得られる空気イオン生成方法及び生成器並びにセットに関する。
【０００２】
【従来の技術】
霧ないし水蒸気を用いる室内ないし車内用空気清浄器機や加湿機器類において、イオンを生成させる技術が用いられるようになり、例えば、トルマリン等の永久電気双極子結晶鉱物を水に触れさせてイオンを生成させる技術（例えば、特許文献１参照。）や、酸化ラジウム等の永久電気双極子結晶鉱物から成る放射性粒体を水面下に浮遊させて、脱臭に供する技術（例えば、特許文献２参照。）や、水盤容器内の水中に、水中イオン溶出石と称される永久電気双極子結晶鉱物を浸漬して、イオン生成水と成し、これを高周波ないし超音波発振装置にて霧化し、空気中にイオンを供給する技術（例えば、特許文献３参照。）が知られている。
【０００３】
これらはいずれも、永久電気双極子結晶鉱物を水中に存在させることによってイオン生成水を生じさせ、このイオン生成水を、霧ないし水蒸気等として空気中に供給する技術である。
【０００４】
ところで、いわゆる滝壷周辺ではイオン数は、プラスイオン、マイナスイオンともに１万個／ｃｍ３程度が存在することが知られており、前記従来技術によれば遠く及ばない。
【０００５】
【特許文献１】特開平１０−３６９８７（特に図７）
【特許文献２】実用新案登録２５９８７３０（特に図３）
【特許文献３】特開２００１−２５８９８５（特に図２）
【０００６】
【発明が解決しようとする課題】
本発明の技術的課題は、滝壷周辺と同程度のイオン数を得ることが可能な空気イオン生成方法及び生成器並びにセットを提供することである。
【０００７】
【課題を解決するための手段】
上記本発明の課題は、下記構成によって達成される。
１．水を霧化してイオン化霧を空気中に供給する空気イオン生成方法において、前記霧を衝突壁に衝突させイオン化霧の流れを生じさせるに際し、前記衝突壁の少なくとも表面又はイオン化霧流路に永久電気双極子結晶鉱物を存在させ、イオン数を増加させることを特徴とする空気イオン生成方法。
【０００８】
２．水を霧化してイオン化霧を空気中に供給する空気イオン生成器において、水盤容器内の水を霧化器を用いることにより霧化して空気中に供給し、該空気中に供給された霧を衝突壁に衝突させイオン化霧の流れを生じさせると共に、前記衝突壁の少なくとも表面又はイオン化霧流路に永久電気双極子結晶鉱物を存在させ、イオン数を増加させる構成を有することを特徴とする空気イオン生成器。
【０００９】
３．衝突壁が、霧化器の上方又は側方に配置されていることを特徴とする前記２に記載の空気イオン生成器。
【００１０】
４．衝突壁に衝突した霧の一部が水盤容器内の水に滴下還流する構成であることを特徴とする前記２又は３に記載の空気イオン生成器。
【００１１】
５．霧化器と、この霧化器によって生じた霧を衝突させてイオン化霧を生じさせる衝突壁と、この衝突壁の少なくとも表面又はイオン化霧流路に存在させる永久電気双極子結晶鉱物とを有する空気イオン生成器セット。
【００１２】
【発明の実施の形態】
以下、本発明について詳述する。
本発明に用いられる霧化器は、霧を発生させる高周波ないし超音波発振器に限らず、水蒸気（湯気）を発生させる電熱ヒータであってもよいし、空気中に水滴を噴射する噴射器であってもよい。
【００１３】
本発明における衝突壁に衝突させる霧とは、いわゆる霧だけでなく、水蒸気や水滴であってもよく、衝突壁に衝突させて霧を生じさせることができるものを含む。
【００１４】
本発明に用いられる衝突壁は、霧化器によって生じた霧を空気中において衝突させるための壁体であって、衝突した霧の一部は水滴となり滴下することとなってもよい。この滴下した水は水盤容器中の水に還流することが好ましい。
【００１５】
本発明に用いられる永久電気双極子結晶鉱物は、前記特許文献１〜３等に記載のイオン発生源となるものに限定されず、イオンを放出するものであれば公知のものを特別の制限なく用いることができ、例えば、モナズ鉱石、ヘルグソン鉱石、ラジウム鉱石、トルマリン、タウマリン、太陽石、花崗岩、硫黄石、長石、ルビー等の自然石、若しくは永久電気双極子モーメントを有する人口合成鉱物、又はそれ等の放射性焼成体や放射性樹脂成形体を用いることができる。中でも、僅かな水分でイオンを多く放出することから、モナズ鉱石、ヘルグソン鉱石、ラジウム鉱石、トルマリン、タウマリンが好ましく、特にモナズ鉱石、ヘルグソン鉱石、ラジウム鉱石がポロニウム２１０等を含有するため好ましい。
【００１６】
本発明では、イオン発生源として空気中に配置された永久電気双極子結晶鉱物を用いるため、霧を衝突ないし接触・通過させるだけで半永久的に空気イオンを供給することができる。しかも、該永久電気双極子結晶鉱物の放射性によりイオン化した霧の一部を水盤容器中の水に滴下還流することで、水が腐り難くなるためメンテナンスが極めて容易である。
【００１７】
尚、永久電気双極子結晶鉱物は、放射性物質であるため、法律に基づく制定レベル３７０ベクトル／ｇ以内を厳守することは勿論である。
【００１８】
本発明においては、永久電気双極子結晶鉱物を土器・陶器・せっ器・磁器の原料土と混合した後に成形し焼成して得られる放射性焼成体を、衝突壁の表面に配置したり、イオン化霧流路に配置したりすることが好ましい。尚、せっ器の場合、酸化焼成によって多孔質の素地を形成することとなる。
【００１９】
永久電気双極子結晶鉱物をセラミック化するには、永久電気双極子結晶鉱物を平均粒径０．３〜１００．０μｍの粉体とし、必要かつ充分な量（例えば５〜７０重量％）の該粉体と陶磁器素地用の粘土（平均粒径が１〜２００μｍ、例えば３０〜９５重量％）とを混合する。粘土としては木節粘土、蛙目粘土、及びカオリンが好ましい。
【００２０】
永久電気双極子結晶鉱物粉体と粘土とを混合した後、所望の形状に成形工程後、乾燥工程を経過して、焼成する。焼成温度は７００〜１３００℃の範囲が好ましい。尚、本発明の放射性焼成体には、０．１〜１０重量％のアルミニウム、ステンレス等の金属粉末、その他の添加物を含有していてもよい。
【００２１】
また、放射性樹脂成形体は、永久電気双極子結晶鉱物を、合成樹脂と混合して固めたものであってもよい。
【００２２】
上記放射性焼成体や放射性樹脂成形体は、その表面積を増大させるため凹凸状となし、衝突する霧のイオン数増加を図ることが好ましい。
【００２３】
本発明において、イオン化霧流路とは、衝突壁に対する衝突によって生じたイオン化霧が室内ないし車内等の環境下に至るまでの流路を構成する部分を言い、例えば水盤容器の内壁面を指す。
【００２４】
衝突壁の少なくとも表面又はイオン化霧流路に永久電気双極子結晶鉱物を存在させるには、上記放射性焼成体や放射性樹脂成形体を衝突壁の表面や水盤容器内壁面の表面に配置する手段、永久電気双極子結晶鉱物を衝突壁の表面や水盤容器内壁面の表面に溶射固着する手段、衝突壁や水盤容器そのものを放射性焼成体や放射性樹脂成形体で製作する手段など、いずれの方法によってもよい。尚、溶射は、セラミックなどのコーティング材料を加熱して微粒子状に溶かし、噴射することで皮膜を形成する技術であり、本発明においても、この技術を採用できる。
【００２５】
本明細書における水盤容器とは、中に水を張って花を生け、又は盆石などを置く狭義の水盤に限らず、中に水を貯溜できると共に一部又は全部の上方を開放したタンク等の容器を意味する。
【００２６】
本発明に用いられる水は、水道水、井戸水、蒸留水、ナチュラルミネラルウォータ［ＡＯＤ（水生生物環境診断法）による例えば、ＡＯＤ３０００以上のミネラル含有天然水など。］、電気分解イオン水などいずれであってもよい。尚、水の補給については、所謂ニワトリの水飲方式による他、公知の手段を採用できる。また、本発明においては加湿効果を期待できるため、加湿器としての用途も採用できる。
【００２７】
【実施例】
以下、実施例を挙げて本発明を更に説明する。
ガラス製水盤容器１中には水Ｗが張られ、霧化器２としての超音波発振装置の発振部を着脱自在に収容した台座３に、支柱４が立設され、この支柱４上に衝突壁５としての傘状体が載置されており、この傘状体様の衝突壁５の下面表面に永久電気双極子結晶鉱物６としての放射性焼成体が貼り付けてある。尚、この放射性焼成体としては、ラジウム鉱石微粉末を含有せしめたセラミックを用いた。
【００２８】
霧化器２を作動させ発振部を振動させることによって、霧を衝突壁５としての傘状体表面の永久電気双極子結晶鉱物６に衝突させたところ、イオン化霧の流れは水盤容器１内に充満し、縁部から溢れ、室内の空気環境下に流れ出した。この縁部から３０ｃｍ離開した位置にエアーイオンカウンタ（フィーサ株式会社製、正・負イオン同時検出式空気イオン計測器ＦＩＣ−２０００）を置いて正・負イオン類を計測したところ、霧化器２を作動する前が、正イオン数７０ｉｏｎｓ（個。以下同じ。）／ｃｍ３、負イオン数５０ｉｏｎｓ／ｃｍ３であった（測定室２５℃、５０％ＲＨ下の空気イオン数を示す。）ものが、正イオン数１００００ｉｏｎｓ／ｃｍ３、負イオン数１２５００ｉｏｎｓ／ｃｍ３を示した（図４（Ａ）及び（Ｂ）参照）。
【００２９】
一方、上記永久電気双極子結晶鉱物６としての放射性焼成体を取り除き、これを水盤容器１内の水Ｗ中に置いた場合、正イオン数、負イオン数とも２０％以上減少した。
【００３０】
永久電気双極子結晶鉱物６としての放射性焼成体を水盤容器１内の水Ｗ中に置いた場合に比べ、衝突壁５の表面に置いた場合は大巾な効果が得られることが判った。
【００３１】
永久電気双極子結晶鉱物６としての放射性焼成体を上記衝突壁５の表面に固着したことに代えて、水盤容器の内壁表面に固着した場合も正イオン数、負イオン数ともに１００００ｉｏｎｓ／ｃｍ３で、本発明の効果が得られた。
【００３２】
尚、図１及び２中、７は３原色のＬＥＤ８などを配置した防水光源装置を示し、台座３に着脱自在に装着されている。
【００３３】
本発明においては、図３に示すように、霧化器２によって霧を側方に向けて発生させることもでき、この場合、衝突壁５は、霧化器２の側方位置に配置され、少なくともその表面に永久電気双極子結晶鉱物６が存在する構成とされる。永久電気双極子結晶鉱物６の表面は凹凸状など表面積を増加させる構成とすることが好ましい（図３参照）。
【００３４】
【発明の効果】
本発明によれば、滝壷周辺と同程度のイオン数を得ることが可能な空気イオン生成方法及び生成器並びにセットを提供することができ、また、イオン化霧の流れ（クラスタが小さい）を生じさせるため、滝壷周辺のような自然環境が得られ、所謂ホルミシス効果を期待できる。
更に本発明に係るセットよれば、好みの水盤容器を選び、これに水を張りセットするだけで、本発明に係る空気イオン生成方法及び生成器の作用効果が得られる。
【図面の簡単な説明】
【図１】本発明に係る空気イオン生成装置の原理を示す概略断面図
【図２】霧化器と衝突壁との位置関係の一例を示す要部斜視図
【図３】霧化器と衝突壁との位置関係の他の例を示す要部斜視図
【図４】実施例で得られた正・負イオン数を示すグラフ
【符号の説明】
１  水盤容器
２  霧化器
３  台座
４  支柱
５  衝突壁
６  永久電気双極子結晶鉱物
７  防水光源装置
８  ３原色のＬＥＤ
Ｗ  水
【図１】
2004154461.tif 000003
【図２】
2004154461.tif 000004
【図３】
2004154461.tif 000005
【図４】
2004154461.tif 000006